【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子からなり、
前記第１のオフアキシャル光学素子及び前記第２のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa、前記第２のオフアキシャル光学素子の基準軸光線を反射する反射面上の反射点における面法線と前記第１のオフアキシャル光学素子の反射面に入射する基準軸光線との成す第２の角度の絶対値をθbとするとき、
−３０°＜θa−θb＜３０°
なる条件を満足するように構成されていることを特徴とする画像読取用の結像光学系。
【請求項２】
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子、第３のオフアキシャル光学素子、第４のオフアキシャル光学素子からなり、
前記第１のオフアキシャル光学素子及び前記第２のオフアキシャル光学素子及び前記第３のオフアキシャル光学素子及び前記第４のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa１、前記第２のオフアキシャル光学素子の基準軸光線を反射する反射面上の反射点における面法線と前記第１のオフアキシャル光学素子の反射面に入射する基準軸光線との成す第２の角度の絶対値をθb１とするとき、
−３０°＜θa１−θb１＜３０°
なる条件を満足し、
前記主走査方向を法線とする副走査断面内において、前記第３のオフアキシャル光学素子の基準軸光線を反射する反射面上の反射点における面法線と前記第１のオフアキシャル光学素子の反射面に入射する基準軸光線との成す第３の角度の絶対値をθa２、前記第４のオフアキシャル光学素子の基準軸光線を反射する反射面上の反射点における面法線と前記第１のオフアキシャル光学素子の反射面に入射する基準軸光線との成す第４の角度の絶対値をθb２とするとき、
−３０°＜θa２−θb２＜３０°
なる条件を満足するように構成されていることを特徴とする画像読取用の結像光学系。
【請求項３】
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子、第３のオフアキシャル光学素子、第４のオフアキシャル光学素子からなり、
前記第１のオフアキシャル光学素子及び前記第２のオフアキシャル光学素子及び前記第３のオフアキシャル光学素子及び前記第４のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa１、前記第４のオフアキシャル光学素子の基準軸光線を反射する反射面上の反射点における面法線と前記第１のオフアキシャル光学素子の反射面に入射する基準軸光線との成す第２の角度の絶対値をθb１とするとき、
−３０°＜θa１−θb１＜３０°
なる条件を満足し、
前記主走査方向を法線とする副走査断面内において、前記第２のオフアキシャル光学素子の基準軸光線を反射する反射面上の反射点における面法線と前記第１のオフアキシャル光学素子の反射面に入射する基準軸光線との成す第３の角度の絶対値をθa２、前記第３のオフアキシャル光学素子の基準軸光線を反射する反射面上の反射点における面法線と前記第１のオフアキシャル光学素子の反射面に入射する基準軸光線との成す第４の角度の絶対値をθb２とするとき、
−３０°＜θa２−θb２＜３０°
なる条件を満足するように構成されていることを特徴とする画像読取用の結像光学系。
【請求項４】
前記第１のオフアキシャル光学素子及び前記第２のオフアキシャル光学素子は、前記結像光学系の基準軸に対して主走査方向に対称であり、副走査方向に非対称な反射面より成ることを特徴とする請求項１に記載の画像読取用の結像光学系。
【請求項５】
前記第１のオフアキシャル光学素子及び前記第２のオフアキシャル光学素子及び前記第３のオフアキシャル光学素子及び前記第４のオフアキシャル光学素子は、前記結像光学系の基準軸に対して主走査方向に対称であり、副走査方向に非対称な反射面より成ることを特徴とする請求項２又は３に記載の画像読取用の結像光学系。
【請求項６】
前記第１のオフアキシャル光学素子及び前記第２のオフアキシャル光学素子は、鏡筒の保持部に保持されており、各々のオフアキシャル光学素子の鏡筒の保持部に当接する部分の位置は、各々オフアキシャル光学素子毎に異なることを特徴とする請求項１又は４に記載の画像読取用の結像光学系。
【請求項７】
前記第１のオフアキシャル光学素子及び前記第２のオフアキシャル光学素子及び前記第３のオフアキシャル光学素子及び前記第４のオフアキシャル光学素子は、鏡筒の保持部に保持されており、各々のオフアキシャル光学素子の鏡筒の保持部に当接する部分の位置は、各々オフアキシャル光学素子毎に異なることを特徴とする請求項２、３又は５の何れか一項に記載の画像読取用の結像光学系。
【請求項８】
前記第１のオフアキシャル光学素子及び前記第２のオフアキシャル光学素子のうち任意の１つのオフアキシャル光学素子の厚さをＬｚ、短手方向の長さをＬｙとするとき、
１.５＜Ｌｙ／Ｌｚ＜２０
なる条件を満足することを特徴とする請求項１、４又は６に記載の画像読取用の結像光学系。
【請求項９】
前記第１のオフアキシャル光学素子及び前記第２のオフアキシャル光学素子及び前記第３のオフアキシャル光学素子及び前記第４のオフアキシャル光学素子のうち任意の１つのオフアキシャル光学素子の厚さをＬｚ、短手方向の長さをＬｙとするとき、
１.５＜Ｌｙ／Ｌｚ＜２０
なる条件を満足することを特徴とする請求項２、３、５又は７の何れか一項に記載の画像読取用の結像光学系。
【請求項１０】
請求項１乃至９の何れか一項に記載の画像読取用の結像光学系を用いて、原稿を載置する原稿台の面上の画像情報を、前記ラインセンサー上に結像させ、前記原稿と前記ラインセンサーとを相対的に移動することで前記ラインセンサーで前記画像情報を読取ることを特徴とする画像読取装置。
【手続補正２】
【補正対象書類名】明細書
【補正対象項目名】００１９
【補正方法】変更
【補正の内容】
【００１９】
請求項１の発明の画像読取用の結像光学系は、
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子からなり、
前記第１のオフアキシャル光学素子及び前記第２のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa、前記第２のオフアキシャル光学素子の基準軸光線を反射する反射面上の反射点における面法線と前記第１のオフアキシャル光学素子の反射面に入射する基準軸光線との成す第２の角度の絶対値をθbとするとき、
−３０°＜θa−θb＜３０°
なる条件を満足するように構成されていることを特徴としている。
【手続補正３】
【補正対象書類名】明細書
【補正対象項目名】００２０
【補正方法】変更
【補正の内容】
【００２０】
請求項２の発明の画像読取用の結像光学系は、
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子、第３のオフアキシャル光学素子、第４のオフアキシャル光学素子からなり、
前記第１のオフアキシャル光学素子及び前記第２のオフアキシャル光学素子及び前記第３のオフアキシャル光学素子及び前記第４のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa１、前記第２のオフアキシャル光学素子の基準軸光線を反射する反射面上の反射点における面法線と前記第１のオフアキシャル光学素子の反射面に入射する基準軸光線との成す第２の角度の絶対値をθb１とするとき、
−３０°＜θa１−θb１＜３０°
なる条件を満足し、
前記主走査方向を法線とする副走査断面内において、前記第３のオフアキシャル光学素子の基準軸光線を反射する反射面上の反射点における面法線と前記第１のオフアキシャル光学素子の反射面に入射する基準軸光線との成す第３の角度の絶対値をθa２、前記第４のオフアキシャル光学素子の基準軸光線を反射する反射面上の反射点における面法線と前記第１のオフアキシャル光学素子の反射面に入射する基準軸光線との成す第４の角度の絶対値をθb２とするとき、
−３０°＜θa２−θb２＜３０°
なる条件を満足するように構成されていることを特徴としている。
【手続補正４】
【補正対象書類名】明細書
【補正対象項目名】００２１
【補正方法】変更
【補正の内容】
【００２１】
請求項３の発明の画像読取用の結像光学系は、
原稿面上の画像情報をラインセンサー上に結像させ、前記ラインセンサーで前記画像情報を読取る為の画像読取用の結像光学系であって、
前記ラインセンサーのライン方向を主走査方向、前記主走査方向と直交する方向を副走査方向とするとき、
前記結像光学系は、前記原稿面側から順に、第１のオフアキシャル光学素子、第２のオフアキシャル光学素子、第３のオフアキシャル光学素子、第４のオフアキシャル光学素子からなり、
前記第１のオフアキシャル光学素子及び前記第２のオフアキシャル光学素子及び前記第３のオフアキシャル光学素子及び前記第４のオフアキシャル光学素子は、共に前記主走査方向の長さが前記副走査方向の長さより長く、光学素子の厚みが前記副走査方向の長さより短い樹脂材料から成る反射型のオフアキシャル光学素子であり、
前記主走査方向を法線とする副走査断面内において、前記第１のオフアキシャル光学素子の基準軸光線を反射する反射面上の反射点における面法線と前記第１のオフアキシャル光学素子の反射面に入射する基準軸光線との成す第１の角度の絶対値をθa１、前記第４のオフアキシャル光学素子の基準軸光線を反射する反射面上の反射点における面法線と前記第１のオフアキシャル光学素子の反射面に入射する基準軸光線との成す第２の角度の絶対値をθb１とするとき、
−３０°＜θa１−θb１＜３０°
なる条件を満足し、
前記主走査方向を法線とする副走査断面内において、前記第２のオフアキシャル光学素子の基準軸光線を反射する反射面上の反射点における面法線と前記第１のオフアキシャル光学素子の反射面に入射する基準軸光線との成す第３の角度の絶対値をθa２、前記第３のオフアキシャル光学素子の基準軸光線を反射する反射面上の反射点における面法線と前記第１のオフアキシャル光学素子の反射面に入射する基準軸光線との成す第４の角度の絶対値をθb２とするとき、
−３０°＜θa２−θb２＜３０°
なる条件を満足するように構成されていることを特徴としている。
【手続補正５】
【補正対象書類名】明細書
【補正対象項目名】００２２
【補正方法】変更
【補正の内容】
【００２２】
請求項４の発明は請求項１の発明において、
前記第１のオフアキシャル光学素子及び前記第２のオフアキシャル光学素子は、前記結像光学系の基準軸に対して主走査方向に対称であり、副走査方向に非対称な反射面より成ることを特徴としている。
【手続補正６】
【補正対象書類名】明細書
【補正対象項目名】００２３
【補正方法】変更
【補正の内容】
【００２３】
請求項５の発明は請求項２又は３の発明において、
前記第１のオフアキシャル光学素子及び前記第２のオフアキシャル光学素子及び前記第３のオフアキシャル光学素子及び前記第４のオフアキシャル光学素子は、前記結像光学系の基準軸に対して主走査方向に対称であり、副走査方向に非対称な反射面より成ることを特徴としている。
【手続補正７】
【補正対象書類名】明細書
【補正対象項目名】００２４
【補正方法】変更
【補正の内容】
【００２４】
請求項６の発明は請求項１又は４の発明において、
前記第１のオフアキシャル光学素子及び前記第２のオフアキシャル光学素子は、鏡筒の保持部に保持されており、各々のオフアキシャル光学素子の鏡筒の保持部に当接する部分の位置は、各々オフアキシャル光学素子毎に異なることを特徴としている。
【手続補正８】
【補正対象書類名】明細書
【補正対象項目名】００２５
【補正方法】変更
【補正の内容】
【００２５】
請求項７の発明は請求項２、３又は５の発明において、
前記第１のオフアキシャル光学素子及び前記第２のオフアキシャル光学素子及び前記第３のオフアキシャル光学素子及び前記第４のオフアキシャル光学素子は、鏡筒の保持部に保持されており、各々のオフアキシャル光学素子の鏡筒の保持部に当接する部分の位置は、各々オフアキシャル光学素子毎に異なることを特徴としている。
【手続補正９】
【補正対象書類名】明細書
【補正対象項目名】００２６
【補正方法】変更
【補正の内容】
【００２６】
請求項８の発明は請求項１、４又は６の発明において、
前記第１のオフアキシャル光学素子及び前記第２のオフアキシャル光学素子のうち任意の１つのオフアキシャル光学素子の厚さをＬｚ、短手方向の長さをＬｙとするとき、
１.５＜Ｌｙ／Ｌｚ＜２０
なる条件を満足することを特徴としている。
請求項９の発明は請求項２、３、５又は７の発明において、
前記第１のオフアキシャル光学素子及び前記第２のオフアキシャル光学素子及び前記第３のオフアキシャル光学素子及び前記第４のオフアキシャル光学素子のうち任意の１つのオフアキシャル光学素子の厚さをＬｚ、短手方向の長さをＬｙとするとき、
１.５＜Ｌｙ／Ｌｚ＜２０
なる条件を満足することを特徴としている。
請求項１０の発明の画像読取装置は、
請求項１乃至９の何れか一項に記載の画像読取用の結像光学系を用いて、原稿を載置する原稿台の面上の画像情報を、前記ラインセンサー上に結像させ、前記原稿と前記ラインセンサーとを相対的に移動することで前記ラインセンサーで前記画像情報を読取ることを特徴としている。
【手続補正１０】
【補正対象書類名】明細書
【補正対象項目名】００５４
【補正方法】変更
【補正の内容】
【００５４】
本実施例における結像光学系４は原稿７側（原稿面側）から順に外形が互いに直交する方向で長さが異なり、厚みが外形の短手方向の長さより小さく，樹脂材料より成る第１、第２の２つの反射型のオフアキシャル光学素子（反射型オフアキシャル光学素子）４ａ，４ｂを有し、該第１、第２のオフアキシャル光学素子４ａ，４ｂの鏡面（オフアキシャル反射面）Ｒ２，Ｒ４が互いに向き合うように配置している。第１、第２のオフアキシャル光学素子４ａ，４ｂは具体的には短形状より成り、その厚み方向の長さがその短手方向（短辺方向）長さよりも短くなるように形成している。
【手続補正１１】
【補正対象書類名】明細書
【補正対象項目名】００５７
【補正方法】変更
【補正の内容】
【００５７】
ここでラインセンサー５の画素の並び方向であるライン方向（紙面と垂直方向  Ｘ方向）が主走査方向、それに直交する方向（紙面内方向  Ｙ方向）が副走査方向である。光束の進行方向をＺ方向とする。このときＸＺ面が主走査断面、ＹＺ面が副走査断面である。
【手続補正１２】
【補正対象書類名】明細書
【補正対象項目名】００６２
【補正方法】変更
【補正の内容】
【００６２】
８は第１のオフアキシャル光学素子４ａの鏡面Ｒ２上で入射基準軸光線１２を反射する反射面上の点ａにおける面法線、９は第２のオフアキシャル光学素子４ｂの鏡面Ｒ４上で基準軸光線１３を反射する点ｂにおける面法線である。
【手続補正１３】
【補正対象書類名】明細書
【補正対象項目名】００６３
【補正方法】変更
【補正の内容】
【００６３】
θaは面法線８と入射基準軸光線１２との成す角度（第１の角度）の絶対値、θbは面法線９と入射基準軸光線１２と平行な軸１２ａとの成す角度（第２の角度）の絶対値である。即ち面法線９と基準光線１２とのなす角度である。
【手続補正１４】
【補正対象書類名】明細書
【補正対象項目名】００７９
【補正方法】変更
【補正の内容】
【００７９】
また本実施例では、第１、第２のオフアキシャル光学素子４ａ，４ｂを鏡筒内の保持部に保持するとき、鏡筒の保持部に当接する部分の位置を各々該第１、第２のオフアキシャル光学素子毎に異ならせている。
【手続補正１５】
【補正対象書類名】明細書
【補正対象項目名】００９９
【補正方法】変更
【補正の内容】
【００９９】
θa１は面法線３８と入射基準軸光線４２との成す角度（第１の角度）の絶対値、θb１は面法線３９と基準軸光線４３（入射基準軸光線４２）との成す角度（第２の角度）の絶対値、θa２は面法線４０と基準軸光線４３（入射基準軸光線４２）との成す角度（第３の角度）の絶対値、θb２は面法線４１と基準軸光線４４（入射基準軸光線４２）との成す角度（第４の角度）の絶対値である。
【手続補正１６】
【補正対象書類名】明細書
【補正対象項目名】０１０１
【補正方法】変更
【補正の内容】
【０１０１】
本実施例では各々の角度の絶対値θa１、θb１、θa２、θb２が前述の条件式(1)を満足するように設定している。条件式（１）に相当する
−３０°＜θa１−θb１＜３０°
−３０°＜θa２−θb２＜３０°
となるようにしている。
【手続補正１７】
【補正対象書類名】明細書
【補正対象項目名】０１０３
【補正方法】変更
【補正の内容】
【０１０３】
さらに本実施例では第１、第２、第３、第４のオフアキシャル光学素子３４ａ，３４ｂ，３４ｃ，３４ｄの厚み方向の長さを各々順にＬｚ１、Ｌｚ２、Ｌｚ３、Ｌｚ４としたとき、該Ｌｚ１、Ｌｚ２、Ｌｚ３、Ｌｚ４を共に３ｍｍ、光線有効範囲の短辺方向の長さに有効部から外周までのマージンを両側に１ｍｍずつ付加し、該第１、第２、第３、第４のオフアキシャル光学素子３４ａ，３４ｂ，３４ｃ，３４ｄの短辺方向の長さを各々順にＬｙ１、Ｌｙ２、Ｌｙ３、Ｌｙ４としたとき、該Ｌｙ１、Ｌｙ２、Ｌｙ３、Ｌｙ４を各々
Ｌｙ１＝３５、Ｌｙ２＝３６
Ｌｙ３＝１８、Ｌｙ４＝２６
としている。これにより条件式（２）に相当する値は各々、
Ｌｙ１／Ｌｚ１＝１１．７、Ｌｙ２／Ｌｚ２＝１２．０
Ｌｙ３／Ｌｚ３＝  ６．０、Ｌｙ４／Ｌｚ４＝８．７
となる。これは条件式(2)を満たしている。
【手続補正１８】
【補正対象書類名】明細書
【補正対象項目名】０１１９
【補正方法】変更
【補正の内容】
【０１１９】
θa１は面法線６１と入射基準軸光線６５との成す角度（第１の角度）の絶対値、θa２は面法線６２と軸６６ａとの成す角度（第３の角度）の絶対値、θb２は面法線６３と軸６７ａとの成す角度（第４の角度）の絶対値、θb１は面法線６４と軸６８ａ（基準軸光線６５）との成す角度（第２の角度）の絶対値である。
【手続補正１９】
【補正対象書類名】明細書
【補正対象項目名】０１２１
【補正方法】変更
【補正の内容】
【０１２１】
本実施例では各々の角度の絶対値θa１、θb１、θa２、θb２が前述の条件式(1)を満足するように設定している。条件式（１）が
−３０°＜θa１−θb１＜３０°
−３０°＜θa２−θb２＜３０°
となるようにしている。
【手続補正２０】
【補正対象書類名】明細書
【補正対象項目名】０１２３
【補正方法】変更
【補正の内容】
【０１２３】
さらに本実施例では第１、第４のオフアキシャル光学素子５４ａ，５４ｄの厚み方向の長さを各々Ｌｚ１、Ｌｚ４とし、該Ｌｚ１、Ｌｚ４を共に６ｍｍ、第２のオフアキシャル光学素子５４ｂの厚み方向の長さをＬｚ２とし、該Ｌｚ２を５ｍｍ、第３のオフアキシャル光学素子５４ｃの厚み方向の長さをＬｚ３とし、該Ｌｚ３を４ｍｍ、光線有効範囲の短辺方向の長さに有効部から外周までのマージンを両側に１ｍｍずつ付加し、該第１、第２、第３、第４のオフアキシャル光学素子５４ａ，５４ｂ，５４ｃ，５４ｄの短辺方向の長さを各々順にＬｙ１、Ｌｙ２、Ｌｙ３、Ｌｙ４としたとき、該Ｌｙ１、Ｌｙ２、Ｌｙ３、Ｌｙ４を各々
Ｌｙ１＝１４、Ｌｙ２＝１２
Ｌｙ３＝  ９、Ｌｙ４＝１１
としている。これにより条件式（２）に相当する値は各々、
Ｌｙ１／Ｌｚ１＝２．３、  Ｌｙ２／Ｌｚ２＝２．４
Ｌｙ３／Ｌｚ３＝２．２５、Ｌｙ４／Ｌｚ４＝１．８
となる。これは条件式(2)を満たしている。